(57)【要約】【課題】治具を用いずに、仕上げ材を下地材に対して正確に位置決めして、固定することができる建築用面材を提供する。【解決手段】建築用面材１００は、下地材１と、下地材１上に設置される仕上げ材２と、仕上げ材２を下地材１に係合可能な係合手段と、を備え、係合手段は、下地材１の上面１１ｕに設けられた係合部１３と、仕上げ材２の下面２ｂから下方に突出し、仕上げ材２の外縁に沿って延在するとともに、係合部１３に係合される被係合部４３と、を有することを特徴とする。【選択図】図５
2018199897.tif 000002
【特許請求の範囲】
【請求項１】
下地材と、
該下地材上に設置される仕上げ材と、
該仕上げ材を前記下地材に係合可能な係合手段と、を備え、
該係合手段は、
前記下地材の上面に設けられた係合部と、
前記仕上げ材の下面から下方に突出し、該仕上げ材の外縁に沿って延在するとともに、前記係合部に係合される被係合部と、を有することを特徴とする建築用面材。
【請求項２】
前記仕上げ材は、矩形状に形成され、
前記被係合部は、矩形状の前記仕上げ材の外縁に沿って、四方枠状に形成され、
前記係合部は、四方枠状の前記被係合部の角部近傍を係合可能であることを特徴とする請求項１に記載の建築用面材。
【請求項３】
前記下地材と前記仕上げ材との間に設置された係合部材を備え、
該係合部材は、前記下地材に取り付けられ、前記被係合部が設けられていることを特徴とする請求項１または２に記載の建築用面材。
【請求項４】
前記仕上げ材の下面には、前記係合部材が嵌合される凹部が形成されていることを特徴とする請求項３に記載の建築用面材。
【発明の詳細な説明】
【技術分野】
【０００１】
本発明は、建築用面材に関するものである。
【背景技術】
【０００２】
従来から、マンション等のバルコニーには、意匠性を向上させるために化粧床材が敷設されていることがある。化粧床材としては、例えば、コンクリート等の床面の上に設置される樹脂マットと、樹脂マットの上に設置されるタイルとを備えたタイルマットが提案されている（下記特許文献１参照）。特許文献１のタイルマットは、矩形状のタイルの四隅に、下面から下方に突出し平面視円形をなす嵌合突部が形成されている。当該嵌合突部が、樹脂マットに形成された平面視円形をなす嵌合穴に嵌合されることで、タイルが樹脂マットに固定されている。
【先行技術文献】
【特許文献】
【０００３】
【特許文献１】実用新案登録第３１８９８２０号公報
【発明の概要】
【発明が解決しようとする課題】
【０００４】
しかしながら、上記の特許文献１に記載のタイルマット等の建築用面材では、嵌合穴の径が嵌合突部の径に比べて大き過ぎる（遊びが大きい）と、嵌合具合が緩くなり、タイルを樹脂マットに対して正確に位置決めできない。このため、目地が通らなかったり、歩行時にがたつきが生じたりするという問題点がある。また、タイルを樹脂マットに対して正確に位置決めするために接着剤を用いると、接着剤が硬化するまでの間、治具を用いて位置決めする必要があり、作業が煩わしいという問題点がある。
【０００５】
そこで、本発明は、上記事情に鑑みてなされたものであり、治具を用いずに、仕上げ材を下地材に対して正確に位置決めして、固定することができる建築用面材を提供する。
【課題を解決するための手段】
【０００６】
上記目的を達成するために、本発明は以下の手段を採用している。
すなわち、本発明に係る建築用面材は、下地材と、該下地材上に設置される仕上げ材と、該仕上げ材を前記下地材に係合可能な係合手段と、を備え、該係合手段は、前記下地材の上面に設けられた係合部と、前記仕上げ材の下面から下方に突出し、該仕上げ材の外縁に沿って延在するとともに、前記係合部に係合される被係合部と、を有することを特徴とする。
【０００７】
このように構成された建築用面材では、仕上げ材の下面から下方に突出する被係合部が下地材の係合部に係合される。よって、仕上げ材は、仕上げ材の外縁に沿って延在する被係合部の延在方向と交差し且つ下地材の上面に沿う方向への移動が規制され位置決めされつつ、係合部に係合されて下地材に固定される。したがって、治具を用いずに、仕上げ材を下地材に対して正確に位置決めして、固定することができる。
【０００８】
また、本発明に係る建築用面材では、前記仕上げ材は、矩形状に形成され、前記被係合部は、矩形状の前記仕上げ材の外縁に沿って、四方枠状に形成され、前記係合部は、四方枠状の前記被係合部の角部近傍を係合可能であることが好ましい。
【０００９】
このように構成された建築用面材では、係合部は、矩形状の仕上げ材の外縁に沿って四方枠状に形成された被係合部の角部近傍を係合する。よって、仕上げ材の角部近傍で係合されるため、仕上げ材を下地材により確実に固定することができる。
【００１０】
また、本発明に係る建築用面材は、前記下地材と前記仕上げ材との間に設置された係合部材を備え、該係合部材は、前記下地材に取り付けられ、前記被係合部が設けられていてもよい。
【００１１】
このように構成された建築用面材では、下地材に係合される被係合部が設けられた係合部材は仕上げ材とは別部材であるため、仕上げ材を所望の形状に形成することができる。
【００１２】
また、本発明に係る建築用面材では、前記仕上げ材の下面には、前記係合部材が嵌合される凹部が形成されていてもよい。
【００１３】
このように構成された建築用面材では、係合部材は仕上げ材の下面に形成された凹部に嵌合される構成であるため、係合部材を仕上げ材に容易に取り付けることができる。
【発明の効果】
【００１４】
本発明に係る建築用面材によれば、治具を用いずに、仕上げ材を下地材に対して正確に位置決めして、固定することができる。
【図面の簡単な説明】
【００１５】
【図１】本発明の一実施形態に係る建築用面材を示す分解斜視図である。
【図２】図１の要部拡大図である。
【図３】本発明の一実施形態に係る建築用面材の仕上げ材及び係合部材を下方から見た分解斜視図である。
【図４】（ａ）本発明の一実施形態に係る建築用面材の仕上げ材及び係合部材を下方から見た斜視図であり、（ｂ）（ａ）の要部拡大図である。
【図５】図１のＡ−Ａ線断面図である。
【図６】本発明の一実施形態の変形例１に係る建築用面材の断面図である。
【図７】本発明の一実施形態の変形例２に係る建築用面材の断面図である。
【図８】本発明の一実施形態の変形例３に係る建築用面材の係合部材を下方から見た斜視図である。
【図９】本発明の一実施形態の変形例４に係る建築用面材において、図１のＡ−Ａ線に相当する位置の断面図である。
【図１０】本発明の一実施形態の変形例５に係る建築用面材の仕上げ材及び係合部材の断面図である。
【図１１】本発明の一実施形態の変形例６に係る建築用面材の仕上げ材及び係合部材の断面図である。
【図１２】本発明の一実施形態の変形例７に係る建築用面材の下地材の斜視図である。
【発明を実施するための形態】
【００１６】
本発明の一実施形態に係る建築用面材について、図面に基づいて説明する。
本実施形態に係る建築用面材の一例である床材は、バルコニー等の床面上に設置されるものである。
図１は、本発明の一実施形態に係る建築用面材を示す分解斜視図である。
図１に示すように、床材１００は、バルコニーの床面上に設置される下地材１と、下地材１上に設置される仕上げ材２と、を備えている。本実施形態では、下地材１が１枚に対して、仕上げ材２が４枚設置されている。
【００１７】
下地材１は、板状をなし、矩形状に形成されている。下地材１は、低段部１１と、低段部１１よりも高さが高い高段部１２と、を有している。
【００１８】
高段部１２は、平面視矩形状に形成されている。平面視において、高段部１２は、仕上げ材２と重なって配置されている。本実施形態では、高段部１２は、仕上げ材２が設置される箇所に対応して４箇所に設けられている。
【００１９】
低段部１１の上面１１ｕには、高段部１２の角部近傍に、係合突起（係合部）１３が設けられている。係合突起１３は、低段部１１の角部１箇所につき、２箇所設けられている。具体的には、係合突起１３は、仕上げ材２の角部を形成する２辺それぞれに沿って設けられている。係合突起１３は、弾性変形可能に構成されている。
【００２０】
下地材１は、例えば、下地材１は、樹脂やゴム等の材料により成形されている。係合突起１３が弾性変形可能な樹脂で成型されることが好ましい。
【００２１】
図２は、図１の要部拡大図である。
図２に示すように、係合突起１３は、下地材１の低段部１１の上面１１ｕから延びる基部１４と、基部１４の上端から折曲された折曲部１５と、を有している。折曲部１５は、仕上げ材２の辺側（外縁側）を向いて折曲されている。折曲部１５の上面１５ｕは、下方に向かうにしたがって次第に平面視仕上げ材２の外縁側に向かうように傾斜している。
【００２２】
低段部１１には、係合突起１３の折曲部１５の下方に、板厚方向に貫通する貫通孔１６ｈが設けられている。
【００２３】
図１に示すように、仕上げ材２は、板状をなし、矩形状に形成されている。仕上げ材２は、無機系焼成体、木材、樹脂、金属等の材料により形成されている。
【００２４】
図３は、床材１００の仕上げ材２及び係合部材４を下方から見た分解斜視図である。
図３に示すように、仕上げ材２の下面２ｂには、上方に凹む凹溝（凹部）２１が形成されている。平面視において、凹溝２１は、仕上げ材２の外縁に沿って、四方枠状に形成されている。
【００２５】
次に、仕上げ材２を下地材１に係合する係合手段３について説明する。
図１に示すように、下地材１と仕上げ材２と間には、係合部材４が設置されている。本実施形態では、係合部材４は、仕上げ材２が１枚に対して、１個設置されている。
【００２６】
図３に示すように、係合部材４は、仕上げ材２の外縁に沿って形成され、平面視四方枠状に形成されている。係合部材４は、樹脂、金属等の剛体が好ましいが、特に材料は問わない。
【００２７】
図４は、仕上げ材２及び係合部材４を下方から見た斜視図であり、（ｂ）（ａ）の要部拡大図である。図５は、図１のＡ−Ａ線断面図である。
図３〜図５に示すように、係合部材４は、上段枠部４１と、下向き部４２と、被係合枠部（被係合部）４３と、を有している。上段枠部４１は、四方枠状に形成され、仕上げ材２の凹溝２１に配置される。下向き部４２は、上段枠部４１の内縁全域から下方に折曲されている。被係合枠部４３は、下向き部４２の下端全域から平面視において上段枠部４１側と反対側に延びている。被係合枠部４３は、四方枠状に形成されている。換言すると、平面視において、四方枠状に形成された下向き部４２の上端には、仕上げ材２の外縁側に向かって延びる上段枠部４１が設けられ、下向き部４２の下端には、仕上げ材２の内縁側に向かって延びる被係合枠部４３が設けられている。
なお、係合部材４は、仕上げ材２の凹溝２１に接着剤（不図示。以下同じ。）により固定されていてもよい。
【００２８】
係合部材４の被係合枠部４３は、下地材１の係合突起１３の折曲部１５の下部に係合されている。係合突起１３は高段部１２の角部近傍に設けられているため、係合突起１３は四方枠状の被係合枠部４３の角部近傍を係合している。被係合枠部４３の下面４３ｂは、仕上げ材２の低段部１１の上面１１ｕに支持されている。仕上げ材２の下面２ｂが下地材１の高段部１２の上面１２ｕに当接するように、仕上げ材２は下地材１上に設置されている。
【００２９】
次に、上記の床材１００の施工方法を説明する。
予め、仕上げ材２の凹溝２１に接着剤を塗布して、凹溝２１に係合部材４を嵌合させる。この状態で、バルコニーの床面上に設置した下地材１の係合突起１３に、係合部材４の被係合枠部４３を係合させる。この際に、被係合枠部４３は、係合突起１３の傾斜する折曲部１５の上面１５ｕを滑るように移動する。係合突起１３は、被係合枠部４３に押圧されて、低段部１１側に弾性変形する。図５に示すように、係合突起１３と低段部１１との間には隙間１２ｓが形成されているため、係合突起１３は弾性変形しやすい。そして、係合部材４の被係合枠部４３は、下地材１の係合突起１３の折曲部１５の下部に係合され、仕上げ材２が下地材１上に設置される。
【００３０】
なお、仕上げ材２の凹溝２１に係合部材４を嵌合しておき、下地材１に係合部材４を係合して、これら仕上げ材２、係合部材４及び下地材１を一体として、バルコニーの床面に設置してもよい。
【００３１】
このように構成された床材１００では、仕上げ材２の下面２ｂから突出する被係合枠部４３が下地材１の係合突起１３に係合される。よって、仕上げ材２は、仕上げ材２の外縁に沿って延在する被係合枠部４３の延在方向と交差し且つ下地材１の上面１１ｕに沿う方向への移動が規制され位置決めされつつ、係合突起１３に係合されて下地材１に固定される。したがって、治具を用いずに、仕上げ材２を下地材１に対して正確に位置決めして、固定することができる。
【００３２】
また、係合突起１３は、矩形状の仕上げ材２の外縁に沿って四方枠状に形成された被係合枠部４３の角部近傍を係合する。よって、仕上げ材２の角部近傍で係合されるため、仕上げ材２を下地材１により確実に固定することができる。
【００３３】
また、下地材１に係合される被係合枠部４３が設けられた係合部材４は仕上げ材２とは別部材であるため、仕上げ材２を所望の形状に形成することができる。
【００３４】
また、係合部材４は仕上げ材２の下面２ｂに形成された凹溝２１に嵌合される構成であるため、係合部材４を仕上げ材２に容易に取り付けることができる。
【００３５】
次に、上記に示す実施形態の変形例について説明する。
以下の変形例において、前述した実施形態で用いた部材と同一の部材には同一の符号を付して、その説明を省略する。
【００３６】
（変形例１）
上記に示す実施形態の変形例１について、主に図６を用いて説明する。
図６は、本発明の一実施形態の変形例１に係る建築用面材の断面図である。
図６に示すように、本変形例では、下地材１は同一高さで形成されている。これにより、下地材１において、貫通孔１６ｈの内縁側の内側板部１７及び貫通孔１６ｈの外縁側の外側板部１８ともに、仕上げ材２の下面２ｂに当接している。この構成では、仕上げ材２が下地材１の内側板部１７及び外側板部１８に支持される、つまり仕上げ材２が全面にわたって下地材１に支持されるため、利用者が床材１００上を歩行する際のがたつきを抑えることができる。
【００３７】
（変形例２）
上記に示す実施形態の変形例２について、主に図７を用いて説明する。
図７は、本発明の一実施形態の変形例２に係る建築用面材の断面図である。
図７に示すように、本変形例では、係合部材４の被係合枠部４３の下面４３ｂが下地材１に支持されている。具体的には、下地材１の外側板部１８の端部の下部には、内側板部１７側に向かって延びる支持壁部１９が設けられている。係合部材４の被係合枠部４３の下面４３ｂは、下地材１の支持壁部１９の上面１９ｕに支持されている。この構成では、仕上げ材２における下地材１の貫通孔１６ｈの上方の部分も係合部材４を介して下地材１の支持壁部１９に支持されるため、利用者が床材１００上を歩行する際のがたつきをより一層抑えることができる。
【００３８】
（変形例３）
上記に示す実施形態の変形例３について、主に図８を用いて説明する。
図８は、本発明の一実施形態の変形例３に係る建築用面材の係合部材を下方から見た斜視図である。
図８に示すように、本変形例では、係合部材４の上段枠部４４は、四方枠状に形成された係合部材４の角部にのみ設けられている。上段枠部４４は、四方枠状に形成された下向き部４２の角部に沿って、平面視Ｌ字状に形成されている。仕上げ材２の下面２ｂには、Ｌ字状をなす上段枠部４４の形状に対応した形状の凹溝（不図示）が形成されている。係合部材４の上段枠部４４は、仕上げ材２の凹溝に嵌合されている。この構成では、係合部材４の体積（材料）を抑えることができる。
【００３９】
（変形例４，５，６）
上記に示す実施形態の変形例４〜６について、主に図９〜１１を用いて説明する。
図９は、本発明の一実施形態の変形例４に係る建築用面材において、図１のＡ−Ａ線に相当する位置の断面図である。図１０は、本発明の一実施形態の変形例５に係る建築用面材の仕上げ材及び係合部材の断面図である。図１１は、本発明の一実施形態の変形例６に係る建築用面材の仕上げ材及び係合部材の断面図である。
係合部材４の形状は適宜設定可能であり、例えば、図９に示すように、下地材１の係合突起３１は、平面視に仕上げ材２の内縁側を向いて折曲されていてもよい。この場合、係合部材４では、平面視において、四方枠状に形成された下向き部４２の上端には、仕上げ材２の内縁側に向かって延びる上段枠部４５が設けられ、下向き部４２の下端には、仕上げ材２の外縁側に向かって延びる被係合枠部４６が設けられている。係合部材４の被係合枠部４６は、下地材１の係合突起３１の折曲部１５の下部に係合されている。
【００４０】
また、図１０に示すように、係合部材４は、上段枠部４７の幅方向の略中央に下向き部４２が設けられていて、下向き部４２の下端から仕上げ材２の外縁側（または内縁側）に無って延びる被係合枠部４８が設けられていてもよい。
【００４１】
また、図１１に示すように、係合部材４は、断面視コ字状に形成されていてもよい。上段枠部４９の幅方向の端部に下向き部４２が設けられていて、下向き部４２の下端から平面視で上段枠部４９が延びる方向と同じ方向に延びる被係合枠部５０が設けられていてもよい。
【００４２】
（変形例７）
上記に示す実施形態の変形例７について、主に図１２を用いて説明する。
図１２は、本発明の一実施形態の変形例７に係る建築用面材の下地材の斜視図である。
図１２に示すように、本変形例では、下地材１の係合突起３２は、平面視において矩形状をなす仕上げ材２の辺に沿って延びるように形成されている。換言すると、上記に示す実施形態で、仕上げ材２の一の辺に沿って離間して配置された係合突起１３どうしが連結された構成されていてもよい。
【００４３】
なお、上述した実施の形態において示した各構成部材の諸形状や組み合わせ等は一例であって、本発明の主旨から逸脱しない範囲において設計要求等に基づき種々変更可能である。
【００４４】
例えば、上記に示す実施形態では、仕上げ材２の下面２ｂには係合部材４が嵌合される凹溝２１が設けられているが、仕上げ材２の下面２ｂには凹溝２１が設けられておらず平面状に形成され、仕上げ材２の下面に係合部材４を接着剤等で固定する構成であってもよい。
【００４５】
また、上記に示す実施形態では、係合部材４は仕上げ材２とは別体で構成されているが、仕上げ材２の下面２ｂに被係合部及び係合部が直接設けられる構成であってもよい。
【００４６】
また、上記に示す実施形態では、下地材１は板状に形成されているが、網目状や格子状等に形成されていてもよい。
【００４７】
また、上記に示す実施形態では、建築用面材として床材を例に挙げて説明したが、本発明はこれに限られない。壁面に沿って設置される壁材であってもよい。この場合には、下地材の上面は下地材における仕上げ材側の面、つまり仕上げ材と対向する面に相当し、仕上げ材の下面は仕上げ材における下地材側の面、つまり下地材と対向する面に相当する。
【符号の説明】
【００４８】
１…下地材
２…仕上げ材
３…係合手段
４…係合部材
１１…低段部
１２…高段部
１３…係合突起（係合部）
１４…基部
１５…折曲部
１６ｈ…貫通孔
２１…凹溝（凹部）
４１…上段枠部
４２…下向き部
４３…被係合枠部（被係合部）
１００…床材（建築用面材）
【図１】
2018199897.tif 000003
【図２】
2018199897.tif 000004
【図３】
2018199897.tif 000005
【図４】
2018199897.tif 000006
【図５】
2018199897.tif 000007
【図６】
2018199897.tif 000008
【図７】
2018199897.tif 000009
【図８】
2018199897.tif 000010
【図９】
2018199897.tif 000011
【図１０】
2018199897.tif 000012
【図１１】
2018199897.tif 000013
【図１２】
2018199897.tif 000014